(57)【要約】【課題】外部から供給されるべき電力を低減可能な省エネルギー型の遊技機島を提供する。【解決手段】遊技機島のサブオーバーフロー樋に、遊技球の流れを受けて発電する発電装置２５を設置する。この発電装置２５は、回転方向の接線に沿って遊技球の流れを受ける接線流羽根車からなる羽根車２５８，２５９を備え、遊技球の流れが有する運動エネルギーを羽根車２５８，２５９の回転エネルギーに変換したのち、回転エネルギーを電力に変換するようにされている。従って、発電装置２５によって得られた電力を遊技機島に設置されている機器に供給することで、外部から供給されるべき電力を低減でき、省エネルギー化を図ることができる。【選択図】  図１
2004236809.tif 000002
【特許請求の範囲】
【請求項１】
パチンコ遊技機にて用いられる遊技球が自重により流れる流路を備えた遊技機島であって、
該流路における遊技球の流れが有するエネルギーを電力に変換する変換手段を備えることを特徴とする遊技機島。
【請求項２】
前記変換手段は、
前記流路における遊技球の流れを受けて回転する羽根車と、
該羽根車の回転を受けて発電する発電機と、
を備えることを特徴とする請求項１記載の遊技機島。
【請求項３】
前記羽根車は、当該羽根車の回転方向の接線に沿って遊技球の流れを受ける接線流羽根車からなることを特徴とする請求項２記載の遊技機島。
【請求項４】
前記羽根車は、当該羽根車の回転軸に沿って遊技球の流れを受ける軸流羽根車からなることを特徴とする請求項２記載の遊技機島。
【請求項５】
前記流路上に複数の前記羽根車を備え、
該羽根車の各々は、他の該羽根車が受け損ねる遊技球の流れを受けるように配置されていることを特徴とする請求項１乃至請求項４いずれか記載の遊技機島。
【請求項６】
前記変換手段は、前記羽根車の回転速度を一定に保持する保持手段を備えることを特徴とする請求項２乃至請求項５いずれか記載の遊技機島。
【請求項７】
前記保持手段は、前記羽根車の回転速度に応じて前記羽根車の回転負荷を調整する第１の調整手段を備えることを特徴とする請求項２乃至請求項６いずれか記載の遊技機島。
【請求項８】
前記保持手段は、前記流路を流れる遊技球の量に応じて前記羽根車の回転負荷を調整する第２の調整手段を備えることを特徴とする請求項２乃至請求項６いずれか記載の遊技機島。
【請求項９】
前記保持手段は、前記流路を流れる遊技球の量を一定に調整する第３の調整手段を備えることを特徴とする請求項２乃至請求項８いずれか記載の遊技機島。
【発明の詳細な説明】
【０００１】
【発明の属する技術分野】
本発明は、パチンコ遊技機にて用いられる遊技球が自重により流れる流路を備えた遊技機島に関する。
【０００２】
【従来の技術】
従来より、遊技機島には、パチンコ遊技機の他、遊技場内の係員を呼び出すための点灯装置や、遊技球を遊技客に貸し出す貸出装置など、遊技客が遊技を行うための機器がさまざまに設置されている。
【０００３】
又、遊技機島には、その内部に形成された遊技球の循環経路上に、空気中の水分が遊技球に付着するのを防止するための露付防止装置（例えば、ヒータ熱線や換気ファンなど）や遊技球を研磨する研磨機など、安定した遊技を提供するための機器もさまざまに設置されている。
【０００４】
尚、遊技機島は、外部から供給される電力をこれらの機器に分配して、これらの機器を稼働させている。
ここで、このような遊技機島の構成は一般的であり、公知・公用の技術に該当するため、ここでは特に先行技術文献を開示しない。
【０００５】
【発明が解決しようとする課題】
ところで、近年では、さまざまな産業分野で省エネルギー化が推し進められ、資源の有効利用化が図られている。しかしながら、従来の遊技機島においては、限られたスペースに如何に数多くの機器を収納できるようにするかが設計時に重要視されている一方、省エネルギー化に関しては特に考慮がなされていなかった。このため、設置される機器の数が増える程、これらの機器を稼働するために多くの電力を外部から供給する必要があった。
【０００６】
以上の事情から、近年、省エネルギー化を図った遊技機島が強く望まれるようになってきた。
そこで、本発明では、外部から供給されるべき電力を低減可能な省エネルギー型の遊技機島を提供することを目的とする。
【０００７】
【課題を解決するための手段及び発明の効果】
上記目的を達成するためになされた請求項１記載の発明は、パチンコ遊技機にて用いられる遊技球が自重により流れる流路を備えた遊技機島であって、該流路における遊技球の流れが有するエネルギーを電力に変換する変換手段を備えることを特徴とする。
【０００８】
このように構成された遊技機島によれば、遊技球の流れが有するエネルギーから電力を得ることができるため、得られた電力を当該遊技機島に設置された機器に供給すれば、外部から供給されるべき電力を低減させ、省エネルギー化を図ることができる。尚、「遊技球が自重により流れる流路」としては、例えば、遊技機島の上部からパチンコ遊技機に遊技球を補給する樋や、パチンコ遊技機から排出された遊技球を回収する樋、遊技機島の上部にて溢れた遊技球を遊技機島の下部に流す樋などが挙げられる。
【０００９】
ここで、変換手段は、例えば、請求項２記載のように、流路における遊技球の流れを受けて回転する羽根車と、該羽根車の回転を受けて発電する発電機とを備えていても良い。即ち、流路における遊技球の流れが有するエネルギーを羽根車の回転エネルギーに変換したのち、この回転エネルギーを発電機にて電力に変換するのである。
【００１０】
尚、羽根車は、例えば、請求項３記載のように、当該羽根車の回転方向の接線に沿って遊技球の流れを受ける接線流羽根車からなっていても良い。
この場合、羽根車は、遊技球の流れが有する運動エネルギーによって回転するため、落差が大きく遊技球の流れが速い流路で用いれば、大きな回転エネルギーを得ることができる。即ち、高さの高い遊技機島に好適である。
【００１１】
又、羽根車は、例えば、請求項４記載のように、当該羽根車の回転軸に沿って遊技球の流れを受ける軸流羽根車からなっていても良い。
この場合、羽根車は、遊技球の流れが有する圧力エネルギーによって回転するため、落差が小さく遊技球の流れが緩やかな流路でも、回転エネルギーを得ることができる。即ち、高さの低い遊技機島に好適である。
【００１２】
ここで、流路上に複数の羽根車を備える場合には、請求項５記載のように、羽根車の各々は、他の羽根車が受け損ねる遊技球の流れを受けるように配置されることが望ましい。
このように複数の羽根車を配置すれば、遊技球の流れが有するエネルギーを無駄なく電力に変換することができる。
【００１３】
尚、この場合、複数の羽根車は、各々が遊技球の流れの方向に沿って順に配置されても良いし、遊技球の流れの方向と交わる方向に沿って配置されても良い。
ところで、変換手段は、請求項６記載のように、前記羽根車の回転速度を一定に保持する保持手段を備えることが望ましい。
【００１４】
このように変換手段が構成されていれば、安定した電力を得ることができる。
ここで、このような保持手段としては、例えば、請求項７記載のように、羽根車の回転速度に応じて羽根車の回転負荷を調整する第１の調整手段を用いることができる。
【００１５】
この第１の調整手段によれば、羽根車の回転速度が予め設定された速度よりも速くなったときに回転負荷を大きくし、遅くなったときに回転負荷を小さくすることにより、羽根車の回転速度を一定に保持することができる。
又、上記保持手段としては、例えば、請求項８記載のように、流路を流れる遊技球の量に応じて羽根車の回転負荷を調整する第２の調整手段を用いることもできる。
【００１６】
この第２の調整手段によれば、遊技球の量が多いときに回転負荷を大きくし、遊技球の量が少ない時に回転負荷を小さくすることにより、羽根車の回転速度を一定に保持することができる。
更に、上記保持手段としては、例えば、請求項９記載のように、流路を流れる遊技球の量を一定に調整する第３の調整手段を用いることもできる。
【００１７】
この第３の調整手段によれば、羽根車が受ける遊技球の量が大きく変動することがないため、羽根車の回転速度を一定に保持することができる。
【００１８】
【発明の実施の形態】
以下に本発明の実施形態を図面と共に説明する。
まず、図５は、本発明に係る遊技機島１の外観を示す正面図であり、図６は、遊技機島１の内部構造図である。尚、遊技機島１では、本発明に係る部分以外は、周知の完全独立還元方式の遊技機島（例えば、特許第２５７６４２０号公報を参照。）と同様に構成されている。従って、ここでは、本発明に係る部分のみを詳述し、遊技機島１の構成については略述する。
【００１９】
図５に示すように、遊技機島１は、水平方向に長い直方体状の本体２を備え、この本体２には、その長手方向に沿って複数のパチンコ遊技機（以下、単に「パチンコ機」という。）３が並列に設置されている。尚、長手方向の中央付近には、遊技者がパチンコ機３から賞品として獲得した遊技球（賞球）を返却した際に、返却された賞球の数を計量し、その数を記録したレシートを発行する計数器４がパチンコ機３に隣接して設置されている。
【００２０】
そして、長手方向の中央上部には、各パチンコ機３に供給する遊技球を一時貯留する直方体状の上部タンク５が設けられている。
更に、長手方向の両端上部にはそれぞれ、各パチンコ機３の上方に設置された呼出ランプ９のいずれかが遊技場内の係員を呼び出すために点灯されると、これに合わせて点灯し、当該遊技機島１で遊技をしている遊技者のいずれかが係員を呼んでいる旨を遊技場内において広範囲に報知するトップランプ６が設置されている。
【００２１】
次に、図６に示すように、本体２は、その長手方向に沿って、パチンコ機３を収納するための空間Ｓ１や、計数器４を収納するための空間Ｓ２がそれぞれ横桟７及び縦桟８などの部材によって形成されている。
そして、空間Ｓ１，Ｓ２の上方に形成された空間Ｓ３には、上部タンク５内の遊技球をパチンコ機３に流下させる補給樋１０，１１が設けられている。尚、補給樋１０，１１はそれぞれ、上部タンク５の内部から当該本体２の図中左端部や右端部にかけて下方に傾斜した状態で設けられ、その上流側の所定部位には、補給樋１０，１１自体を温め、当該補給樋１０，１１を流れる遊技球に付着した空気中の水分を除去するためのヒータ熱線（図示せず）が取り付けられている。但し、該ヒータ熱線の代わりに、温風を吹き出す換気ファン（図示せず）を補給樋１０，１１の上流側の部位の図中上方に設け、補給樋１０，１１を流れる遊技球をこの換気ファンから吹き出される温風に曝して遊技球に付着した空気中の水分を除去するようにしても良い。
【００２２】
つまり、上述したヒータ熱線や換気ファンは、遊技球に付着した空気中の水分を除去するだけでなく、結果として、空気中の水分が遊技球に付着するのを防止する役割も果たしている。
又、空間Ｓ３には、これら補給樋１０，１１や換気ファンの他、外部から供給される三相交流を二相交流に変換する電源ボックス１２や、該電源ボックス１２から二相交流の各相をそれぞれ取り込み、その電圧をパチンコ機３の電源電圧（２４Ｖ）に降圧して各パチンコ機３に供給する変圧器１３，１４などが設置されている。尚、電源ボックス１２は、後述する揚送装置２１や呼出ランプ９などにも電力を供給するように設定されている。
【００２３】
又、空間Ｓ１，Ｓ２の下方に形成された空間Ｓ４には、主にパチンコ機３から排出された遊技球を回収するための回収樋１６，１７や、主に計数器４から排出された遊技球や後述するメインオーバーフロー樋２３を流下してきた遊技球を貯留するためのメイン貯留タンク１８、主に後述するサブオーバーフロー樋２４を流下してきた遊技球を貯留するためのサブ貯留タンク１９などが設けられている。尚、回収樋１６，１７はそれぞれ、当該本体２の図中左端部や右端部から当該本体２の中央に向けて下方に傾斜した状態で設けられている。そして、回収樋１７は、メイン貯留タンク１８へ導かれている一方、回収樋１６は、サブ貯留タンク１９に導かれている。更に、サブ貯留タンク１９に貯留された遊技球は、メイン貯留タンク１８に導かれるようにされている。
【００２４】
又、本体２における長手方向の中央には、メイン貯留タンク１８から遊技球を取り込み、研磨しながら上部タンク５へ揚送する揚送装置２１が設置されている。そして、上部タンク５の下方には、揚送装置２１によって上部タンク５に揚送された遊技球のうち上部タンク５から溢れた遊技球をメイン貯留タンク１８及びサブ貯留タンク１９に分配する分岐箱２２が設けられている。そして、分岐箱２２にて分配された遊技球は、分配箱２２からメイン貯留タンク１８に至るメインオーバーフロー樋２３や、分配箱２２からサブ貯留タンク１９に至るサブオーバーフロー樋２４を通って、メイン貯留タンク１８やサブ貯留タンク１９へ流下するようにされている。
【００２５】
但し、本実施形態の分岐箱２２は、上部タンク５から流下してきた遊技球を予め設定された比率にてメイン貯留タンク１８及びサブ貯留タンク１９へ分配するように設定されている（例えば、流下してきた遊技球の８割をメイン貯留タンク１８へ分配し、２割をサブ貯留タンク１９へ分配するように設定。）。
【００２６】
又、サブオーバーフロー樋２４には、本発明の変換手段に相当する発電装置２５，２６が、遊技球の流れの方向に沿って順に設置されており、当該サブオーバーフロー樋２４における遊技球の流れが有するエネルギーを電力に変換するようにされている（図７参照）。但し、発電装置２６は、サブオーバーフロー樋２４を軸にして発電装置２５に対して左方向に９０°回転させた状態で設置されている。
【００２７】
以下、発電装置２５，２６について詳述する。但し、発電装置２５，２６は、全く同様に構成されているため、ここでは、発電装置２５のみを図１〜図３に示して、その説明を行い、発電装置２６の説明も兼ねることとする。
まず、図１は、発電装置２５の外観を示す斜視図である。
【００２８】
図１に示すように、発電装置２５は、サブオーバーフロー樋２４を流下してくる遊技球を通過させる円筒状の流路部２５１を備えている。但し、この流路部２５１は、サブオーバーフロー樋２４に介挿されるため、サブオーバーフロー樋２４の径とほぼ同じ大きさの径を有するように設定されている。
【００２９】
そして、流路部２５１には、当該流路部２５１を挟んで対向するように、当該流路部２５１と同じ高さを有した柱状の腕部２５２，２５３が当該流路部２５１の外周壁に一体に設けられている。尚、腕部２５２において、図中手前側の側壁には、直方体状の外形を有するギアボックス２５４と、直方体状の外形を有する発電機２５５とを備えた電力生成装置２５６が設けられている。又、流路部２５１における図中奥側の外周壁には、厚みの薄い直方体状の外形を有する機構収納部２５７が一体に設けられている。
【００３０】
次に、図２は、図１における上方から発電装置２５を見下ろした場合の発電機２５の内部構造図であり、図３は、図１における矢視Ａから見た場合の発電装置２５の透視図である。
図２，３に示すように、腕部２５２，２５３は、流路部２５１の内部（つまり、遊技球の流路）に連通した中空状にされており、その内部には、遊技球を受けるためのバケット状の羽根を４つ備えた羽根車２５８，２５９がそれぞれ設置されている。尚、これら羽根車２５８，２５９は、回転方向の接線に沿って遊技球の流れを受ける接線流羽根車からなり、流路部２５１の内部に突出した羽根が遊技球から受けた衝撃（つまり、遊技球の流れが有する運動エネルギー）によって回転するようにされている（尚、図２において、羽根車２５８の羽根は、羽根車２５９の羽根よりも小さく描かれているが、これは、羽根車２５９の羽根が水平ではなく、傾いた状態であることを示しているだけに過ぎず、羽根車２５８、２５９は全く同様に構成されている。）。但し、羽根車２５８，２５９は、遊技球の流れを受ける部位（本実施形態では羽根。但し、流路部２５１に突出した際に、遊技球の流れを受ける側の面のみ。）に、遊技球から受ける衝撃を吸収するための衝撃吸収材（本実施形態ではウレタン）が装着されている（図示せず）。
【００３１】
そして、羽根車２５８の回転軸２６０は、一端がギアボックス２５４に収納されている一方、他端が機構収納部２５７内に収納されている。又、羽根車２５９の回転軸２６１は、一端が腕部２５３の内壁に回転可能に枢支されている一方、他端が機構収納部２５７に収納されている。
【００３２】
尚、機構収納部２５７内において、回転軸２６０には、プーリ２６２が連結されている。又、回転軸２６１には、歯車２６５が連結されている。ここで、歯車２６５は、当該歯車２６５と全く同様に構成された歯車２６４に噛み合わされている。又、歯車２６４は、プーリ２６２と全く同様に構成されたプーリ２６３と共に、機能収納部２５７内に設置された回転軸２６６に軸支されている。そして、プーリ２６２、２６３には、無端ベルト２６７が架けられている。即ち、羽根車２５８，２５９は、機構収納部２５７に収納された上記機構によって、互いが受けた衝撃により逆方向に同期回転するようにされている。但し、羽根車２５８，２５９は、互いの羽根が同時に流路部２５１内に突出して遊技球の流れを大きく阻害しないように、所定の大きさ（例えば、４５°）の位相差を有して回転するようにされている。
【００３３】
一方、ギアボックス２５４には、回転軸２６０の回転力を発電機２５６の回転子に伝達しつつ、発電機２５６の回転子を回転軸２６０よりも速く回転させる増速ギア（図示せず）が収納されている。そして、発電機２５５は、当該発電機２５５の回転子が回転することによって単相交流を生成し、この単相交流を１対のリード線２７０，２７１を介して外部に出力するようにされている。
【００３４】
ここで、発電機２５５は、生成した単相交流を図２において図示していない送電装置３０を介してパチンコ機３に供給するようにされている。尚、送電装置３０は、遊技機島１における所定の部位（本実施形態では、サブオーバーフロー樋２４の近傍）に設置されている。
【００３５】
ここで、図４は、送電装置３０の機能ブロック図である。
図４に示すように、送電装置３０は、発電機２５５から供給される単相交流を直流に変換するコンバータ３１０と、コンバータ３１０から供給される直流電力を充電する充電部３２０と、発電機２５５から供給される単相交流の周波数（即ち、発電機２５５の回転子の回転周波数）を検出する周波数検出部３３０と、充電部３２０から供給される直流電圧を、変圧器１３からパチンコ機３へ出力される交流電圧（つまり、パチンコ機３の電源電圧）に同期した交流電圧（２４Ｖ）に変換し、変圧器１３の出力側へ送電するインバータ３４０とを備えている。
【００３６】
但し、充電部３２０には、大きな容量のコンデンサＣ１が接続されており、コンバータ３１０から供給される直流電力をコンデンサＣ１に充電することによって、大きさの安定した直流電圧をインバータ３４０に供給できるようにされている。
【００３７】
又、インバータ３４０は、周波数検出部３３０により検出された発電機２５５の回転子の回転周波数ｆ１が予め設定された周波数ｆ０よりも小さい場合には、出力する交流電圧の周期を狭めて（但し、変圧器１３の出力側の交流電圧との同期を大きく崩さない程度）、交流電力の送電量を低減するように設定されている。又、周波数ｆ０よりも大きい場合には、出力する交流電圧の周期を広げて（但し、変圧器１３の出力側の交流電圧との同期を大きく崩さない程度）、交流電力の送電量を増加するようにも設定されている。
【００３８】
これにより、遊技球の量が減って、羽根車２５８，２５９の回転速度が予め設定された回転速度（設定速度）よりも低下すると、発電機２５５の回転子の回転負荷が小さくなり、それに伴って羽根車２５８，２５９の回転負荷も小さくなる。一方、遊技球の量が増え、羽根車２５８，２５９の回転速度が設定速度よりも増加すると、発電機２５５の回転負荷が大きくなり、それに伴って羽根車２５８、２５９の回転負荷も大きくなる。即ち、インバータ３４０は、本発明の第２の調整手段に相当し、羽根車２５８，２５９の回転速度が常に一定となるように調整している。
【００３９】
以上のように構成された遊技機島１では、発電装置２５，２６が、サブオーバーフロー樋２４における遊技球の流れが有するエネルギーを電力に変換し、変圧器１３の出力側に供給する。
即ち、本実施形態の遊技機島１によれば、発電装置２５，２６によって、電力が生成され、パチンコ機３に供給されるため、その分だけ外部から供給されるべき電力を低減でき、省エネルギー化を図ることができる。
【００４０】
又、発電装置２６は、サブオーバーフロー樋２４を軸にして発電装置２５に対して左方向に９０°回転させた状態で設置されているため、発電装置２５の羽根車が受け損ねた遊技球の流れを当該発電装置２６の羽根車が受ける。即ち、サブオーバーフロー樋２４における遊技球の流れが有するエネルギーを無駄なく電力に変換することができる。
【００４１】
又、送電装置３０が、発電装置２５，２６の羽根車の回転負荷を調整し、羽根車の回転速度を一定に保持するため、発電装置２５，２６から大きさの安定した電力を得ることができる。
又、発電装置２５，２６の羽根車は、遊技球の流れを受ける部位に、衝撃吸収材が装着されているため、遊技球から受ける衝撃で羽根が破損するのを防止できる。更に、遊技球が羽根に当たる際に生じる音も抑制されるため、遊技球を受けても大きな騒音を発生することもない。
【００４２】
以上、本発明の実施の形態について説明したが、本発明は、上記実施形態に何ら限定されることはなく、本発明の技術的範囲に属する限り種々の形態をとり得ることはいうまでもない。
例えば、上記実施形態では、発電装置２５，２６をサブオーバーフロー樋２４に設置したが、メインオーバーフロー樋２１や、補給樋１０，１１、回収樋１６，１７など、遊技球が自重により流れる他の流路に設置しても勿論良い。
【００４３】
又、上記実施形態では、発電装置２５，２６の羽根車は、接線流羽根車からなっていたが、回転軸に沿って遊技球の流れを受ける軸流羽根車からなっていても良い。
この場合、羽根車は、遊技球の流れが有する圧力エネルギーによって回転するため、落差が小さく遊技球の流れが緩やかな流路でも、回転エネルギーを得ることができる。即ち、高さの低い遊技機島に好適である。但し、遊技球を羽根車へ止め処なく流す必要がある。
【００４４】
又、本実施形態では、発電装置２５，２６によって得られた電力をパチンコ機３に供給していたが、ヒータ熱線や換気ファン、その他の機器（例えば、計数器４やトップランプ６など）に供給するように設定されていても良い。
又、上記実施形態では、羽根車の回転速度を一定に保持するのに、羽根車の回転周波数（回転速度）に応じて羽根車の回転負荷を調整していたが、サブオーバーフロー樋２４などを流下する遊技球の量をセンサなどで検出して、その量に応じて羽根車の回転負荷を調整するように構成されていても良い（本発明における第１の調整手段に相当。）。又、例えば、分岐箱２２内に自動弁を設け、該自動弁の作用により、サブオーバーフロー樋２４を流下する遊技球の量を常に一定に調整するようにしても良い（本発明における第３の調整手段に相当。）。
【００４５】
又、上記実施形態では、電力生成装置２５６の発電機２５５は、単相からなる交流電力を発生していたが、多相（例えば、三相）からなる交流電力を発生するように構成されていても良い。
【図面の簡単な説明】
【図１】発電装置の外観を示す斜視図である。
【図２】図１における上方から発電装置２５を見下ろした場合の発電装置２５の内部構造図である。
【図３】図１における矢視Ａから見た場合の発電装置２５の透視図である。
【図４】送電装置３０の機能ブロック図である。
【図５】本発明に係る遊技機島１の外観を示す正面図である。
【図６】本発明に係る遊技機島１の内部構造図である。
【図７】サブオーバーフロー樋２４における発電装置２５，２６の設置状態を示す説明図である。
【符号の説明】
１…遊技機島、２…本体、３…パチンコ機、４…計数器、５…上部タンク、６…トップランプ、７…横桟、８…縦桟、９…呼出ランプ、１０，１１…補給樋、１２…電源ボックス、１３，１４…変圧器、１６，１７…回収樋、１８…メイン貯留タンク、１９…サブ貯留タンク、２１…揚送装置、２２…分岐箱、２３…メインオーバーフロー樋、２４…サブオーバーフロー樋、２５，２６…発電装置、３０…送電装置、２５１…流路部、２５２，２５３…腕部、２５４…ギアボックス、２５５…発電機、２５６…電力生成装置、２５７…機構収納部、２５８，２５９…羽根車、２６０，２６１，２６６…回転軸、２６２，２６３…プーリ、２６４，２６５…歯車、２６７…無端ベルト、２７０，２７１…リード線、３１０…コンバータ、３２０…充電部、３３０…周波数検出部、３４０…インバータ。
【図１】
2004236809.tif 000003
【図２】
2004236809.tif 000004
【図３】
2004236809.tif 000005
【図４】
2004236809.tif 000006
【図５】
2004236809.tif 000007
【図６】
2004236809.tif 000008
【図７】
2004236809.tif 000009